(57)【要約】      （修正有）【課題】人の頭部に装着された頭部装身具を、その見栄えを損ねることなく、且つ人に過度の負担をかけることなく確実に支持してそのズレを防止し得る支持具を提供する。【解決手段】保持具１は、透明で且つ適度の弾性伸縮性をもつ所定長さの２本の帯体２を備え、該各帯体２の一端２ａ同士を長さ調整具４にて長さ調整可能に連結するとともに、その他端２ｂには挿通孔３ａをもつ掛止部３を設けて構成される。保持具１は、人の頭部にその頭髪上から装着されたカチューシャ（頭部装身具）を後頭部側から支持する。【選択図】図１
0003210422.tif 000002
【実用新案登録請求の範囲】
【請求項１】
その両端に掛止部を備えた所定長さの帯状体または紐状体でなり、人の頭部に装着された頭部装身具の適所に上記掛止部を掛止した状態でその中間部分が後頭部に掛け回されることで、上記頭部装身具をその後方側から支持し得るように構成されたことを特徴とする頭部装身具の支持具。
【請求項２】
請求項１において、
上記支持具が、弾性伸縮材で構成されていることを特徴とする頭部装身具の拘束具。
【請求項３】
請求項１または２において、
上記支持具が、透明材で構成されていることを特徴とする頭部装身具の拘束具。
【請求項４】
請求項１、２または３において、
上記支持具は、長さ調整手段を備えていることを特徴とする頭部装身具の拘束具。
【考案の詳細な説明】
【技術分野】
【０００１】  本願考案は、主として女性が頭部に装着する頭部装身具を確実に支持してそのズレを抑制する頭部装身具の支持具に関するものである。
【背景技術】
【０００２】  主に女性が頭部に装着する頭部装身具としては、例えば、特許文献１，２に示されるようなカチューシャがある。このカチューシャは、弾性的に開閉可能な略Ｕ字形の形体を有し、これを拡開させた状態で頭髪の上から頭部に装着し、その弾性復元力で頭部を左右から挟みこむことでその装着姿勢を保持するようになっている。
【先行技術文献】
【特許文献】
【０００３】
【特許文献１】実用新案登録第３０１８９９２号公報
【特許文献２】実用新案登録第３０５８９７６号公報
【考案の概要】
【考案が解決しようとする課題】
【０００４】  ところが、このようなカチューシャにおいては、これを頭髪の上から頭部に装着するものであって、該カチューシャと頭部表面との間に髪が介在していることから、該カチューシャが滑り易く、頭部の動きによってズレ易いという問題があった。【０００５】  このような問題を解決する手法の一つとして、特許文献１に示されるように、カチューシャの内面、即ち、頭髪に接する面に適宜の滑り止めテープを貼設し、該滑り止めテープと頭髪の間に働く摩擦力でカチューシャのズレを抑制することが知られている。【０００６】  しかし、この手法によれば、頭部表面に対して自由に移動可能な頭髪に上記カチューシャ側の滑り止めテープを接触させることから、頭髪の状態によっては、例えば、髪の量が多く、頭部表面とカチューシャの間に多量の髪が自由状態で存在するような場合には、頭髪の自由移動によって上記カチューシャに対する支持作用が弱く、該カチューシャのズレという問題が依然として残るものであった。このような問題は、特許文献２に示すように、カチューシャに他の装飾物を付加した結果、その頂部側が重くなった場合にはより顕著となる。【０００７】  また、他のズレ防止手法としては、頭部に装着されたカチューシャをヘアクリップ等の固定具を用いて頭髪に固定することも考えられるが、係る手法においても、上記固定具が取り付けられる頭髪の自由移動によって上記手法の場合と同様の問題がある。【０００８】  さらに、このようなカチューシャのズレを抑制する観点から、該カチューシャの弾性力（弾性復元力）を高めることも考えられるが、係る手法によれば、カチューシャを頭部に装着した場合、そのズレは抑制されるものの、カチューシャの弾性復元力による頭部への締め付けが過度となり、長時間の装着が困難になることが考えられ、好ましい手法とは言い難い。【０００９】  以上のような問題は、カチューシャに限らず他の頭部装身具、例えば、帽子とか髪飾りを頭部に装着した場合にも起こり得るものである。【００１０】  そこで本願考案は、人の頭部に装着された頭部装身具を、その見栄えを損ねることなく、且つ人に過度の負担をかけることなく確実に支持してそのズレを防止し得るようにした頭部装身具の支持具を提供することを目的としてなされたものである。
【課題を解決するための手段】
【００１１】  本願考案ではかかる課題を解決するための具体的手段として次のような構成を採用している。【００１２】  本願の第１の考案に係る頭部装身具の支持具は、その両端に掛止部を備えた所定長さの紐状体または帯状体でなり、人の頭部に装着された頭部装身具の適所に上記掛止部を掛止した状態でその中間部分が後頭部に掛け回されることで、上記頭部装身具をその後方側から支持し得るように構成されたことを特徴としている。【００１３】  本願の第２の考案では、上記第１の考案において、上記支持具を、弾性伸縮材で構成したことを特徴としている。【００１４】  本願の第３の考案では、上記第１又は第２の考案において、上記支持具を透明材で構成したことを特徴としている。【００１５】  本願の第４の考案では、上記第１，第２又は第３の考案において、上記支持具に長さ調整手段を備えたことを特徴としている。
【考案の効果】
【００１６】  本願考案では次のような効果が得られる。【００１７】  （ａ）本願の第１の考案に係る頭部装身具の支持具は、その両端に掛止部を備えた所定長さの紐状体または帯状体でなり、人の頭部に装着された頭部装身具の適所に上記掛止部を掛止した状態でその中間部分が後頭部に掛け回されることで、上記頭部装身具をその後方側から支持し得るように構成されているので、上記頭部装身具は、上記支持具の支持作用によって頭部への装着状態におけるズレが可及的に防止され、長時間に亘って良好な装着状態が保持される。【００１８】  また、人の挙動として、直立姿勢よりも後方側で頭部を前後方向に傾動させることは少なく、多くの場合、直立姿勢よりも前方側で頭部を前後方向に傾動させると考えられる。したがって、頭部に装着された頭部装身具は、人の挙動によって当初装着位置よりも前方側へズレ易くなるものと考えられるところ、この考案のように後頭部に掛け回された支持具によって上記頭部装身具を後方側から支持することで、上記頭部装身具をより確実に支持してそのズレを防止することが可能となり、その効果は顕著となる。【００１９】（ｂ）本願の第２の考案に係る頭部装身具の支持具では、上記（ａ）に記載の効果に加えて、以下のような特有の効果が得られる。即ち、この考案では、上記支持具を、弾性伸縮材で構成したので、上記頭部装身具は、上記支持具の本来的な拘引作用に加えて、弾性引張作用によっても支持されることから、その支持作用がより的確となり、該頭部装身具のズレ防止がより一層促進される。【００２０】  また、この場合、上記支持具の弾性引張作用は、該支持具の拘引作用を補完する程度で良く、弾性力によって上記頭部装身具を後方側へ強く引き付ける必要はなく、人の頭部への負担も殆どなく、長時間の使用も可能となる。【００２１】（ｃ）本願の第３の考案に係る頭部装身具の支持具では、上記（ａ）又は（ｂ）に記載の効果に加えて、以下のような特有の効果が得られる。即ち、この考案では、上記支持具を透明材で構成しているので、頭部に装着された頭部装身具を支持具で支持した状態において、例え該支持具が頭髪上に露出したとしても、これが周囲の者に視認されることが少なく、該頭部装身具を装着した状態での見栄えが保持される。【００２２】（ｄ）本願の第４の考案に係る頭部装身具の支持具では、上記（ａ）、（ｂ）又は（ｃ）に記載の効果に加えて、以下のような特有の効果が得られる。即ち、この考案では、上記支持具に長さ調整手段を備えたので、上記支持具の長さを、上記頭部装身具の大きさとか、人の頭部及び頭髪の状態に応じて調整することで、常に適正な状態で上記頭部装身具を支持することができる。
【図面の簡単な説明】
【００２３】
【図１】  本願考案の第１の実施形態に係る支持具の全体構成を示す斜視図である。
【図２】  図１に示した支持具の頭部装身具に対する取付状態を示す斜視図である。
【図３】  図２に示した支持具の使用状態の説明図である。
【図４】  本願考案の第２の実施形態に係る支持具の全体構成を示す斜視図である。
【図５】  図４に示した支持具の使用状態の説明図である。
【考案を実施するための形態】
【００２４】「第１の実施形態」
図１及び図２には、本願考案の第１の実施形態に係る保持具１を示している。この保持具１は、透明で且つ適度の弾性伸縮性をもつ所定長さの２本の帯体２を備え、該各帯体２の一端２ａ同士を長さ調整具４にて長さ調整可能に連結するとともに、その他端２ｂには挿通孔３ａをもつ掛止部３を設けて構成される。
【００２５】  そして、この保持具１は、図３に示すように人の頭部２１にその頭髪２２上から装着されたカチューシャ１０（実用新案登録請求の範囲の「頭部装身具」に該当する）を後頭部２１ａ側から支持するものである。
【００２６】  そのため、図２に示すように、上記保持具１の左右両側の掛止部３を、弾性材によって略Ｕ字状に湾曲形成されたカチューシャ１０にその両端側からそれぞれ嵌挿させ、該保持具１の中間部はこれを自由状態とする。
【００２７】  なお、上記カチューシャ１０の湾曲方向の中央部には、ウサギの耳を模倣した左右一対の飾り具１２が取り付けられている。
【００２８】  上記保持具１の使用方法は以下のとおりである。即ち、図３に示すように、上記カチューシャ１０を拡開させつつ人の頭部２１に対して頭髪２２の上側から装着し、所定位置で該カチューシャ１０に対する拡開力を解除し、該カチューシャ１０の弾性復元力によって頭部２１を左右両側から挟み込ませてその装着姿勢を保持させる。
【００２９】  この場合、上記カチューシャ１０は、その全体が頭髪２２上に露出しているような装着態様とか、頂部２１ｂ側のみが頭髪２２上に露出し、これ以外の部分は頭髪２２内に埋没しているような装着態様をとるが、これら何れの装着態様においても、上記保持具１は、上記カチューシャ１０の後側において頭髪２２上に露出した状態で待機される。
【００３０】  しかる後、上記保持具１の中央部分を頭頂２１ｂ側から後頭部２１ａ側へ回り込ませ、該後頭部２１ａにおいて掛止保持する。この場合、上記保持具１は、ほぼその全体が頭髪２２の中に埋没した状態で後頭部２１ａ側に引き出され、ここに掛止される。この掛止状態において、上記保持具１の上記帯体２の長さを、該保持具１の弾性引張力も考慮しながら、上記長さ調整具４によって調整する。
【００３１】  このように、頭部２１に装着され且つ自己の弾性復元力で左右から側頭部側に挟圧保持された上記カチューシャ１０を、上記保持具１によって後頭部２１ａ側から拘引して支持することで、該カチューシャ１０はその中央部に比較的重量の嵩む長寸の飾り具１２が取り付けられていることで前方側へ傾倒し易くなっているにも拘らず、前方への傾倒が可及的に阻止され、長時間に亘って良好な装着状態が保持される。
【００３２】  また、この実施形態では、上述のように、上記支持具１を弾性伸縮材で構成したので、上記カチューシャ１０は、上記支持具１の本来的な拘引作用に加えて、弾性引張作用によっても支持されることから、その支持作用がより的確となり、該カチューシャ１０のズレ防止がより一層確実となる。
【００３３】  さらに、この実施形態では、上記支持具１を透明材で構成しているので、頭部２１に装着されたカチューシャ１０を支持具１で支持した状態において、例え該支持具１が頭髪２２上に露出したとしても、これが周囲の者に視認されることが少なく、該カチューシャ１０を装着した状態での見栄えが保持される。
【００３４】  また、この実施形態では、上記支持具１に長さ調整手段４を備えたので、上記支持具１の長さを、上記カチューシャ１０の大きさとか、人の頭部２１及び頭髪２２の状態に応じて調整することで、常に適正な状態で上記カチューシャ１０を支持することができる。
【００３５】「第２の実施形態」
図４には、本願考案の第２の実施形態に係る保持具１を示している。この保持具１は、上記第１の実施形態における保持具１とその基本構成を同じにするものであって、これと異なる点は、上記保持具１を構成する２本の帯体２の他端にクリップ５を取り付けてこれを掛止部３とした点である。
【００３６】  この保持具１は、図５に示すように、頭部２１に装着した装飾用の帽子１３を支持するに好適なものであって、上記保持具１の各クリップ５を上記帽子１３の内部側の設けた掛止片（図示省略）に把持させるとともに、該保持具１の中間部を後頭部２１ａ側へ回してここに掛止することで、上記帽子１３を、例えば、ヘアクリップ等を用いずとも、確実に支持してそのズレを防止することができるものである。
【００３７】  上記以外の作用効果は、上記第１の実施形態と同様であるので、第１の実施形態の該当説明を援用する。
【００３８】「その他」
（１）上記実施形態においては、上記保持具１を、透明で且つ適度の弾性伸縮性をもつ帯体２で構成したが、本願考案は係る構成に限定されるものではなく、非透明材で構成するとか、非伸縮性材で構成するとか、紐体で構成する等、各種の対応が可能であり、例えば、鎖状材で構成することもできる。
【００３９】（２）上記帯体２の端部に設けられる掛止部３を、上記第１の実施形態では挿通孔３ａでこれを構成し、上記第２の実施形態では上記端部の設けられた上記クリップ５でこれを構成したが、本願考案はこれらの構成に限定されるものではない。即ち、要は、上記掛止部３は、上記帯体２の端部を上記カチューシャ１０に掛止させることができれば足りるものであり、係る機能を達成し得る限り、各種の構成を採用できるものである。
【００４０】（３）上記実施形態においては、頭部装身具として、カチューシャ１０とか帽子１３を採用した場合を例にとって説明したが、本願考案はこれに限定されるものではなく、凡そ人が頭部に装着する物全般について適用できるものである。
【産業上の利用可能性】
【００４１】  本願考案に係る頭部装身具の支持具は、主として女性が頭部に装着する頭部装身具の支持手段としてファッション分野において利用されるものである。
【符号の説明】
【００４２】  １  ・・保持具
２  ・・帯体
３  ・・掛止部
４  ・・長さ調整具
５  ・・クリップ
１０  ・・カチューシャ（頭部装身具）
１２  ・・飾り具
１３  ・・帽子（頭部装身具）
２１  ・・頭部
２２  ・・頭髪
【図１】
0003210422.tif 000003
【図２】
0003210422.tif 000004
【図３】
0003210422.tif 000005
【図４】
0003210422.tif 000006
【図５】
0003210422.tif 000007
【手続補正書】
【提出日】平成29年2月24日(2017.2.24)
【手続補正１】
【補正対象書類名】実用新案登録請求の範囲
【補正対象項目名】全文
【補正方法】変更
【補正の内容】
【実用新案登録請求の範囲】
【請求項１】
その両端に掛止部を備えた所定長さの帯状体または紐状体でなり、人の頭部に装着された頭部装身具の適所に上記掛止部を掛止した状態でその中間部分が後頭部に掛け回されることで、上記頭部装身具をその後方側から支持し得るように構成されたことを特徴とする頭部装身具の支持具。
【請求項２】
請求項１において、
上記支持具が、弾性伸縮材で構成されていることを特徴とする頭部装身具の支持具。
【請求項３】
請求項１または２において、
上記支持具が、透明材で構成されていることを特徴とする頭部装身具の支持具。
【請求項４】
請求項１、２または３において、
上記支持具は、長さ調整手段を備えていることを特徴とする頭部装身具の支持具。
【手続補正２】
【補正対象書類名】明細書
【補正対象項目名】全文
【補正方法】変更
【補正の内容】
【考案の詳細な説明】
【技術分野】
【０００１】  本願考案は、主として女性が頭部に装着する頭部装身具を確実に支持してそのズレを抑制する頭部装身具の支持具に関するものである。
【背景技術】
【０００２】  主に女性が頭部に装着する頭部装身具としては、例えば、特許文献１，２に示されるようなカチューシャがある。このカチューシャは、弾性的に開閉可能な略Ｕ字形の形体を有し、これを拡開させた状態で頭髪の上から頭部に装着し、その弾性復元力で頭部を左右から挟みこむことでその装着姿勢を保持するようになっている。
【先行技術文献】
【特許文献】
【０００３】
【特許文献１】実用新案登録第３０１８９９２号公報
【特許文献２】実用新案登録第３０５８９７６号公報
【考案の概要】
【考案が解決しようとする課題】
【０００４】  ところが、このようなカチューシャにおいては、これを頭髪の上から頭部に装着するものであって、該カチューシャと頭部表面との間に髪が介在していることから、該カチューシャが滑り易く、頭部の動きによってズレ易いという問題があった。【０００５】  このような問題を解決する手法の一つとして、特許文献１に示されるように、カチューシャの内面、即ち、頭髪に接する面に適宜の滑り止めテープを貼設し、該滑り止めテープと頭髪の間に働く摩擦力でカチューシャのズレを抑制することが知られている。【０００６】  しかし、この手法によれば、頭部表面に対して自由に移動可能な頭髪に上記カチューシャ側の滑り止めテープを接触させることから、頭髪の状態によっては、例えば、髪の量が多く、頭部表面とカチューシャの間に多量の髪が自由状態で存在するような場合には、頭髪の自由移動によって上記カチューシャに対する支持作用が弱く、該カチューシャのズレという問題が依然として残るものであった。このような問題は、特許文献２に示すように、カチューシャに他の装飾物を付加した結果、その頂部側が重くなった場合にはより顕著となる。【０００７】  また、他のズレ防止手法としては、頭部に装着されたカチューシャをヘアクリップ等の固定具を用いて頭髪に固定することも考えられるが、係る手法においても、上記固定具が取り付けられる頭髪の自由移動によって上記手法の場合と同様の問題がある。【０００８】  さらに、このようなカチューシャのズレを抑制する観点から、該カチューシャの弾性力（弾性復元力）を高めることも考えられるが、係る手法によれば、カチューシャを頭部に装着した場合、そのズレは抑制されるものの、カチューシャの弾性復元力による頭部への締め付けが過度となり、長時間の装着が困難になることが考えられ、好ましい手法とは言い難い。【０００９】  以上のような問題は、カチューシャに限らず他の頭部装身具、例えば、帽子とか髪飾りを頭部に装着した場合にも起こり得るものである。【００１０】  そこで本願考案は、人の頭部に装着された頭部装身具を、その見栄えを損ねることなく、且つ人に過度の負担をかけることなく確実に支持してそのズレを防止し得るようにした頭部装身具の支持具を提供することを目的としてなされたものである。
【課題を解決するための手段】
【００１１】  本願考案ではかかる課題を解決するための具体的手段として次のような構成を採用している。【００１２】  本願の第１の考案に係る頭部装身具の支持具は、その両端に掛止部を備えた所定長さの紐状体または帯状体でなり、人の頭部に装着された頭部装身具の適所に上記掛止部を掛止した状態でその中間部分が後頭部に掛け回されることで、上記頭部装身具をその後方側から支持し得るように構成されたことを特徴としている。【００１３】  本願の第２の考案では、上記第１の考案において、上記支持具を、弾性伸縮材で構成したことを特徴としている。【００１４】  本願の第３の考案では、上記第１又は第２の考案において、上記支持具を透明材で構成したことを特徴としている。【００１５】  本願の第４の考案では、上記第１，第２又は第３の考案において、上記支持具に長さ調整手段を備えたことを特徴としている。
【考案の効果】
【００１６】  本願考案では次のような効果が得られる。【００１７】  （ａ）本願の第１の考案に係る頭部装身具の支持具は、その両端に掛止部を備えた所定長さの紐状体または帯状体でなり、人の頭部に装着された頭部装身具の適所に上記掛止部を掛止した状態でその中間部分が後頭部に掛け回されることで、上記頭部装身具をその後方側から支持し得るように構成されているので、上記頭部装身具は、上記支持具の支持作用によって頭部への装着状態におけるズレが可及的に防止され、長時間に亘って良好な装着状態が保持される。【００１８】  また、人の挙動として、直立姿勢よりも後方側で頭部を前後方向に傾動させることは少なく、多くの場合、直立姿勢よりも前方側で頭部を前後方向に傾動させると考えられる。したがって、頭部に装着された頭部装身具は、人の挙動によって当初装着位置よりも前方側へズレ易くなるものと考えられるところ、この考案のように後頭部に掛け回された支持具によって上記頭部装身具を後方側から支持することで、上記頭部装身具をより確実に支持してそのズレを防止することが可能となり、その効果は顕著となる。【００１９】（ｂ）本願の第２の考案に係る頭部装身具の支持具では、上記（ａ）に記載の効果に加えて、以下のような特有の効果が得られる。即ち、この考案では、上記支持具を、弾性伸縮材で構成したので、上記頭部装身具は、上記支持具の本来的な拘引作用に加えて、弾性引張作用によっても支持されることから、その支持作用がより的確となり、該頭部装身具のズレ防止がより一層促進される。【００２０】  また、この場合、上記支持具の弾性引張作用は、該支持具の拘引作用を補完する程度で良く、弾性力によって上記頭部装身具を後方側へ強く引き付ける必要はなく、人の頭部への負担も殆どなく、長時間の使用も可能となる。【００２１】（ｃ）本願の第３の考案に係る頭部装身具の支持具では、上記（ａ）又は（ｂ）に記載の効果に加えて、以下のような特有の効果が得られる。即ち、この考案では、上記支持具を透明材で構成しているので、頭部に装着された頭部装身具を支持具で支持した状態において、例え該支持具が頭髪上に露出したとしても、これが周囲の者に視認されることが少なく、該頭部装身具を装着した状態での見栄えが保持される。【００２２】（ｄ）本願の第４の考案に係る頭部装身具の支持具では、上記（ａ）、（ｂ）又は（ｃ）に記載の効果に加えて、以下のような特有の効果が得られる。即ち、この考案では、上記支持具に長さ調整手段を備えたので、上記支持具の長さを、上記頭部装身具の大きさとか、人の頭部及び頭髪の状態に応じて調整することで、常に適正な状態で上記頭部装身具を支持することができる。
【図面の簡単な説明】
【００２３】
【図１】  本願考案の第１の実施形態に係る支持具の全体構成を示す斜視図である。
【図２】  図１に示した支持具の頭部装身具に対する取付状態を示す斜視図である。
【図３】  図２に示した支持具の使用状態の説明図である。
【図４】  本願考案の第２の実施形態に係る支持具の全体構成を示す斜視図である。
【図５】  図４に示した支持具の使用状態の説明図である。
【考案を実施するための形態】
【００２４】「第１の実施形態」
図１及び図２には、本願考案の第１の実施形態に係る保持具１を示している。この保持具１は、透明で且つ適度の弾性伸縮性をもつ所定長さの２本の帯体２を備え、該各帯体２の一端２ａ同士を長さ調整具４にて長さ調整可能に連結するとともに、その他端２ｂには挿通孔３ａをもつ掛止部３を設けて構成される。
【００２５】  そして、この支持具１は、図３に示すように人の頭部２１にその頭髪２２上から装着されたカチューシャ１０（実用新案登録請求の範囲の「頭部装身具」に該当する）を後頭部２１ａ側から支持するものである。
【００２６】  そのため、図２に示すように、上記支持具１の左右両側の掛止部３を、弾性材によって略Ｕ字状に湾曲形成されたカチューシャ１０にその両端側からそれぞれ嵌挿させ、該支持具１の中間部はこれを自由状態とする。
【００２７】  なお、上記カチューシャ１０の湾曲方向の中央部には、ウサギの耳を模倣した左右一対の飾り具１２が取り付けられている。
【００２８】  上記支持具１の使用方法は以下のとおりである。即ち、図３に示すように、上記カチューシャ１０を拡開させつつ人の頭部２１に対して頭髪２２の上側から装着し、所定位置で該カチューシャ１０に対する拡開力を解除し、該カチューシャ１０の弾性復元力によって頭部２１を左右両側から挟み込ませてその装着姿勢を保持させる。
【００２９】  この場合、上記カチューシャ１０は、その全体が頭髪２２上に露出しているような装着態様とか、頂部２１ｂ側のみが頭髪２２上に露出し、これ以外の部分は頭髪２２内に埋没しているような装着態様をとるが、これら何れの装着態様においても、上記支持具１は、上記カチューシャ１０の後側において頭髪２２上に露出した状態で待機される。
【００３０】  しかる後、上記支持具１の中央部分を頭頂２１ｂ側から後頭部２１ａ側へ回り込ませ、該後頭部２１ａにおいて掛止保持する。この場合、上記支持具１は、ほぼその全体が頭髪２２の中に埋没した状態で後頭部２１ａ側に引き出され、ここに掛止される。この掛止状態において、上記支持具１の上記帯体２の長さを、該支持具１の弾性引張力も考慮しながら、上記長さ調整具４によって調整する。
【００３１】  このように、頭部２１に装着され且つ自己の弾性復元力で左右から側頭部側に挟圧保持された上記カチューシャ１０を、上記支持具１によって後頭部２１ａ側から拘引して支持することで、該カチューシャ１０はその中央部に比較的重量の嵩む長寸の飾り具１２が取り付けられていることで前方側へ傾倒し易くなっているにも拘らず、前方への傾倒が可及的に阻止され、長時間に亘って良好な装着状態が保持される。
【００３２】  また、この実施形態では、上述のように、上記支持具１を弾性伸縮材で構成したので、上記カチューシャ１０は、上記支持具１の本来的な拘引作用に加えて、弾性引張作用によっても支持されることから、その支持作用がより的確となり、該カチューシャ１０のズレ防止がより一層確実となる。
【００３３】  さらに、この実施形態では、上記支持具１を透明材で構成しているので、頭部２１に装着されたカチューシャ１０を支持具１で支持した状態において、例え該支持具１が頭髪２２上に露出したとしても、これが周囲の者に視認されることが少なく、該カチューシャ１０を装着した状態での見栄えが保持される。
【００３４】  また、この実施形態では、上記支持具１に長さ調整手段４を備えたので、上記支持具１の長さを、上記カチューシャ１０の大きさとか、人の頭部２１及び頭髪２２の状態に応じて調整することで、常に適正な状態で上記カチューシャ１０を支持することができる。
【００３５】「第２の実施形態」
図４には、本願考案の第２の実施形態に係る支持具１を示している。この支持具１は、上記第１の実施形態における支持具１とその基本構成を同じにするものであって、これと異なる点は、上記支持具１を構成する２本の帯体２の他端にクリップ５を取り付けてこれを掛止部３とした点である。
【００３６】  この支持具１は、図５に示すように、頭部２１に装着した装飾用の帽子１３を支持するに好適なものであって、上記支持具１の各クリップ５を上記帽子１３の内部側の設けた掛止片（図示省略）に把持させるとともに、該支持具１の中間部を後頭部２１ａ側へ回してここに掛止することで、上記帽子１３を、例えば、ヘアクリップ等を用いずとも、確実に支持してそのズレを防止することができるものである。
【００３７】  上記以外の作用効果は、上記第１の実施形態と同様であるので、第１の実施形態の該当説明を援用する。
【００３８】「その他」
（１）  上記実施形態においては、上記支持具１を、透明で且つ適度の弾性伸縮性をもつ帯体２で構成したが、本願考案は係る構成に限定されるものではなく、非透明材で構成するとか、非伸縮性材で構成するとか、紐体で構成する等、各種の対応が可能であり、例えば、鎖状材で構成することもできる。
【００３９】（２）上記帯体２の端部に設けられる掛止部３を、上記第１の実施形態では挿通孔３ａでこれを構成し、上記第２の実施形態では上記端部の設けられた上記クリップ５でこれを構成したが、本願考案はこれらの構成に限定されるものではない。即ち、要は、上記掛止部３は、上記帯体２の端部を上記カチューシャ１０に掛止させることができれば足りるものであり、係る機能を達成し得る限り、各種の構成を採用できるものである。
【００４０】（３）上記実施形態においては、頭部装身具として、カチューシャ１０とか帽子１３を採用した場合を例にとって説明したが、本願考案はこれに限定されるものではなく、凡そ人が頭部に装着する物全般について適用できるものである。
【産業上の利用可能性】
【００４１】  本願考案に係る頭部装身具の支持具は、主として女性が頭部に装着する頭部装身具の支持手段としてファッション分野において利用されるものである。
【符号の説明】
【００４２】  １  ・・支持具
２  ・・帯体
３  ・・掛止部
４  ・・長さ調整具
５  ・・クリップ
１０  ・・カチューシャ（頭部装身具）
１２  ・・飾り具
１３  ・・帽子（頭部装身具）
２１  ・・頭部
２２  ・・頭髪